(57)【要約】【課題】通信される文書の属性に適した通信経路を特定して通信を行う仕組みを提供する。【解決手段】管理サーバー５のＣＰＵ５１は、送信対象である文書データを検査し、送信先と送信元を示すユーザー識別情報と文書データの種別を示す文字列を特定する。そして、ＣＰＵ５１は、端末登録テーブル５４１を参照して、文書データが送られる送信先のユーザーの役職と、この文書データを送った送信元のユーザーの役職を特定し、優先度テーブル５４２からこの文書データの「送信先の役職」、「送信元の役職」および「種別」のそれぞれに対応する各通信端末２の優先度を抽出して合計する。ＣＰＵ５１は、合計した優先度に応じて、通信端末２の優先順位を決定する。そして、ＣＰＵ５１は、端末登録テーブル５４１を参照して、送信先のユーザーに対応付けられている各通信端末２の通信端末識別情報を特定し、優先順位の高い通信端末２から順に通信経路の確立を要求する。【選択図】図４
2010219611.tif 000002
【特許請求の範囲】
【請求項１】
複数の通信ネットワークと接続可能な通信機器と接続可能な移動端末において、
前記通信機器が常時接続している通信ネットワークに対して、前記通信機器を介して通信を確立するための第１通信インターフェース部と、
複数の通信ネットワークとの通信を同時に確立するための第２通信インターフェース部と、
前記第１通信インターフェース部における通信を制御する第１通信制御部と、
前記第２通信インターフェース部における通信を制御する第２通信制御部と、
送信する文書の属性を用いて送信する前記第１通信制御部および前記第２通信制御部のいずれかを選択する通信経路選択部と、を備えることを特徴とする移動端末。
【請求項２】
第１通信ネットワークに接続され、常時接続している前記複数の通信ネットワークにおいて、一定間隔で行われる定期通信を行い、
第２通信ネットワークに接続される前記複数の通信ネットワークにおいて、不定期な通信を行う、ことを特徴とする請求項１に記載の移動端末。
【請求項３】
前記通信経路選択部は、
文書の送信先、送信元および文書の種別を少なくとも含む文書の属性と、通信網の種類とを対応付けて記憶する記憶手段と、
送信対象となる前記文書の属性を判別する判別手段と、
前記記憶手段によって記憶されている内容に基づいて、前記判別手段によって判別された前記文書の属性に対応する前記通信網の種類を特定する特定手段と、
前記特定手段によって特定された種類の通信網を経由して文書を送信する送信手段と、を備えることを特徴とする請求項１に記載の移動端末。
【請求項４】
前記通信路選択部は、
前記判別手段で用いる前記文書の属性として、
文書を保持するユーザーの属性情報と、
文書の処理の仕組みを示す種別の属性情報と、を備えることを特徴とする請求項３に記載の移動端末。
【請求項５】
複数の通信ネットワークと接続可能な通信機器と接続可能な移動端末にかかるプログラムであって、
コンピューターを常時接続している通信ネットワークとの通信を確立するための第１の通信インターフェース手段と、
複数の前記通信ネットワークとの通信を同時に確立するための第２の通信インターフェース手段と、
前記第１の通信インターフェース手段における通信を制御する第１の通信制御手段と、
前記第２の通信インターフェース手段における通信を制御する第２の通信制御手段と、
送信する文書の属性を用いて送信する前記通信ネットワークを選択する通信経路選択手段と、して機能させることを特徴とするプログラム。
【発明の詳細な説明】
【技術分野】
【０００１】
本発明は、通信装置、通信システムなどに用いる移動端末およびプログラムに関する。
【背景技術】
【０００２】
近年、携帯電話網をはじめとする各種無線ネットワークが発達してきている。また、情報端末（移動端末）の小型化・軽量化が進み、携帯可能な情報端末として、ＰＤＡ（Personal Digital Assistant）などが広く用いられている。昨今では、無線ネットワークと携帯型の情報端末とを接続して使用することにより、どこにいてもオフィスにいるのと同等の仕事ができるようになっている。携帯型の情報端末には、無線ネットワークを含めた複数の各種ネットワークと接続可能なものがある。このような情報端末のユーザーは、迅速な通信を行うために、複数のネットワークの中からその都度、利用可能なものを特定して通信を行えばよい。また、このような情報端末のユーザーは、利用可能なネットワークの能力に応じて、通信内容を選択することもできる。例えば、複数の通信帯域に合わせて編集した複数のコンテンツを保持するコンテンツサーバーが、ユーザー端末からのコンテンツ配信要求を受けたとき、ネットワーク管理・制御システムに、そのユーザー端末が利用可能な帯域値を問い合わせることによって、その帯域値以下の通信帯域に適したコンテンツを選択、配信する技術が開発されている（特許文献１参照）。  
【０００３】
また、無線ネットワークは大きく分けて、２つに分類できる。ひとつめは、携帯電話に代表される常時通信リンクが接続されていていつでもデータ通信を行うことができるが、データサイズの大きいデータを送ることが比較的に難しい狭い帯域幅で、かつ利用料金が高めの、常時接続型の無線ネットワーク。ふたつめは、無線ＬＡＮに代表される常時通信リンクが接続されることはなくデータ通信を行おうとする都度接続し、データサイズの大きいデータを送ることができる広い帯域幅で、かつ利用料金が低めの、非常時接続型の無線ネットワーク。常時接続型の無線ネットワークでは、端末が移動した場合でも通信リンクが切れることはなくメール受信の通知などの非同期型のプッシュ通信などに有効である。このような、常時接続可能な通信ネットワークと非常時接続可能な通信ネットワークを切り替えて効率的にネットワークを利用する技術も開発されている（特許文献２参照）。
【先行技術文献】
【特許文献】
【０００４】
【特許文献１】特開２００４−３４８４９４号公報
【特許文献２】特開２００６−８０９８１号公報
【発明の概要】
【発明が解決しようとする課題】
【０００５】
ところで、一般的に通信される文書には軽重があり、送信の確実性や迅速性等が求められるものとそうではないものがある。また、通信ネットワークの属性によって、データ転送の迅速性、高速データ転送処理の有無などがあり、従来の移動端末においては、非同期通信における双方向通信での通信される文書の属性に適した通信経路を特定して通信を行うことが困難であった。
【課題を解決するための手段】
【０００６】
本発明は、上記課題の少なくとも一つを解決するように、以下の適用例または形態として実現され得る。
【０００７】
〔適用例１〕本適用例の移動端末は、複数の通信ネットワークと接続可能な通信機器と接続可能な移動端末において、前記通信機器が常時接続している通信ネットワークに対して、前記通信機器を介して通信を確立するための第１通信インターフェース部と、複数の通信ネットワークとの通信を同時に確立するための第２通信インターフェース部と、前記第１通信インターフェース部における通信を制御する第１通信制御部と、前記第２通信インターフェース部における通信を制御する第２通信制御部と、送信する文書の属性を用いて送信する前記第１通信制御部および前記第２通信制御部のいずれかを選択する通信経路選択部とを備えることを特徴とする。
これにより、非同期通信における双方向通信での通信される文書の属性に適した通信経路を特定して通信を行うことが可能となり、通信レスポンスの向上や、通信の安定性を向上させることができる。
【０００８】
〔適用例２〕また、上記適用例の移動端末において、第１通信ネットワークに接続され、常時接続している前記複数の通信ネットワークにおいて、一定間隔で行われる定期通信を行い、第２通信ネットワークに接続される複数の通信ネットワークにおいて、不定期な通信を行うことが好ましい。
本適用例に係る移動端末は、メール受信の通知などのプッシュ通信を常時受信可能となり、それに呼応した返信などの通信をより帯域の広い通信ネットワークで行うことが可能となる。
【０００９】
〔適用例３〕また、上記適用例の移動端末において、前記通信経路選択部は、文書の送信先、送信元および文書の種別を少なくとも含む文書の属性と、通信網の種類とを対応付けて記憶する記憶手段と、送信対象となる文書の送信先、送信元および種別を判別する判別手段と、前記記憶手段によって記憶されている内容に基づいて、前記判別手段によって判別された文書の送信先、送信元および種別に対応する通信網の種類を特定する特定手段と、前記特定手段によって特定された種類の通信網を経由して文書を送信する送信手段とを備えることが好ましい。
本適用例に係る通信装置は、送信対象となる文書の属性に適した通信経路を特定して通信を行うことが可能となる。
【００１０】
〔適用例４〕また、上記適用例の移動端末において、前記通信路選択部は、前記判別手段で用いる文書の属性として、文書を保持するユーザーの属性情報と、文書の処理の仕組みを示す種別の属性情報と、を備えることが好ましい。
【００１１】
〔適用例５〕また、本適用例に記載のプログラムは、複数の通信ネットワークと接続可能な通信機器と接続可能な移動端末において、コンピューターを常時接続している通信ネットワークとの通信を確立するための第１の通信インターフェース手段と、複数の通信ネットワークとの通信を同時に確立するための第２の通信インターフェース手段と、前記第１のインターフェース手段における通信を制御する第１の通信制御手段と、前記第２のインターフェース手段における通信を制御する第２の通信制御手段と、送信する文書の属性を用いて送信する前記通信ネットワークを選択する通信経路選択手段と、して機能させることを特徴とする。
本適用例に係るプログラムが実行されることにより、非同期通信における双方向通信での通信される文書の属性に適した通信経路を特定して通信を行うことができる。
【図面の簡単な説明】
【００１２】
【図１】通信システムの全体構成の一例を示すブロック図である。
【図２】通信網の一例を示すブロック図である。
【図３】移動端末および通信端末の構成の一例を示すブロック図である。
【図４】管理サーバーの一例を示すブロック図である。
【図５】端末登録テーブルの一例を示す図である。
【図６】優先度テーブルの一例を示す図である。
【図７】通信システムにおけるダウンロードの動作の一例を示すシーケンス図である。
【図８】通信システムにおけるアップロードの動作の一例を示すシーケンス図である。
【図９】優先度の合計結果を示す図である。
【発明を実施するための形態】
【００１３】
（Ａ：構成）
以下、本発明の一実施形態である通信システム９の構成を、図を用いて説明する。
（Ａ−１：全体構成）
図１は、通信システム９の全体構成の一例を示すブロック図である。移動端末１は、文書を示す文書データの閲覧や編集を行うための端末であり、例えばＰＤＡなどである。通信端末２Ａ，２Ｂ，２Ｃ（以下、特に区別の必要がない場合は、これらを総称して「通信端末２」と記す）は、移動端末１と有線または無線で接続可能に構成されており、移動端末１と、それぞれ対応する通信網３Ａ，３Ｂ，３Ｃとの間で情報の遣り取りを行う。複数の通信網３Ａ，３Ｂ，３Ｃ（以下、特に区別の必要がない場合は、これらを総称して「通信網３」と記す）は、携帯電話通信網や無線ＬＡＮ（Local Area Network）および有線ＬＡＮなどである。携帯電話通信網を介して通信を行う通信端末は、携帯電話機であり、無線ＬＡＮを介して通信を行う通信端末は、無線ＬＡＮ端末であり、有線ＬＡＮを介して通信を行う通信端末は有線ＬＡＮ端末である。ネットワーク４は、各通信網３Ａ，３Ｂ，３Ｃと接続している情報通信回線であり、例えばインターネットである。管理サーバー５は、ネットワーク４に接続されているコンピューター等であり、移動端末１のユーザーの登録情報や、移動端末１で扱う文書データ等を管理するとともに、これらの文書データ等を移動端末１および通信端末２との間で遣り取りする通信装置として機能する。
【００１４】
（Ａ−２：通信網の構成）
図２は、通信網３の一例を示すブロック図である。図に例示した通信網３は携帯電話通信網である。ホームロケーションレジスター３１は、通信端末２（この場合は携帯電話機）の加入者情報を記憶しており、通信端末２の位置情報を管理する。関門移動交換局３２は、ネットワーク４や公衆回線、並びに他社ネットワーク等との相互接続を行う。移動交換局３３は、通信端末２の移動を追跡して通信回線の交換サービスを行う。基地局３３１−１，３３１−２，３３１−３（以下、特に区別の必要がない場合は、これらを総称して「基地局３３１」と記す）は、通信端末２との間で無線通信を行う。この基地局３３１は予め定められた領域ごとに備えられており、複数の基地局３３１が移動交換局３３に接続されている。ホームロケーションレジスター３１、関門移動交換局３２および移動交換局３３は通信回線３０で接続されている。なお、説明を簡略にするため、図において移動交換局３３は１つだけ示したが、複数の移動交換局３３が通信回線３０に接続されていてもよい。
【００１５】
（Ａ−３：移動端末および通信端末の構成）
図３は、移動端末１および通信端末２の構成の一例を示すブロック図である。
まず、移動端末１の構成について説明する。ＣＰＵ１１は、ＲＯＭ１２に記憶されているブートローダーや記憶部１４に記憶されているコンピュータープログラムを読み出して実行することにより移動端末１の各部を制御する。ＲＯＭ１２は半導体素子等で構成された読み出し専用の不揮発性記憶装置である。このＲＯＭ１２には、記憶部１４に記憶されている基本ＯＳ（Operating System）をＲＡＭ（Random Access Memory）１３にロードするためのブートローダーやＢＩＯＳ（Basic Input/Output System）などが記憶されている。ＲＡＭ１３はＣＰＵ１１がプログラムを実行する際のワークエリアとして利用される。記憶部１４はＥＥＰＲＯＭ（Electrically Erasable Programmable Read Only Memory）などの不揮発性の記憶手段であり、ＣＰＵ１１に読み込まれるプログラムや文書を表す文書データ等を記憶する。操作部１５は各種の指示を入力するための操作ボタン等の操作子を備えており、ユーザーによる操作を受け付けてその操作内容に応じた信号をＣＰＵ１１に供給する。表示部１６は、ＣＰＵ１１からの指示に応じて、文書データが表す文書等を表示する。表示部１６は、例えば、複数の画素により構成される表示面を有する。この表示面は、例えば、コレステリック液晶等の表示体により構成される。通信部１７は、通信端末２Ａ，２Ｂ，２Ｃとそれぞれ接続して通信するための通信端点１７１Ａ，１７１Ｂ，１７１Ｃ（以下、特に区別の必要がない場合は、これらを総称して「通信端点１７１」と記す）を備える。この通信端点１７１は、例えばＵＳＢ（Universal Serial Bus）規格に準拠したシリアルインターフェースや、ＩｒＤＡ（Infrared Data Association）、Bluetooth（登録商標）などに準拠した無線インターフェースなどである。以上の構成はバス１９によって相互に接続されている。
【００１６】
次に、通信端末２の構成について説明する。ここでは、通信端末２Ａが携帯電話機の場合について説明する。ＣＰＵ２１、ＲＡＭ２３、記憶部２４、操作部２５、表示部２６およびバス２９は、それぞれ、移動端末１が備えるＣＰＵ１１、ＲＡＭ１３、記憶部１４、操作部１５、表示部１６およびバス１９と同じ構成であるが、ＲＯＭ２２には、通信端末２を識別するための通信端末識別情報ＭＩＤが記憶されている。通信部２７は、第１通信部２７１と第２通信部２７２とを有する。第１通信部２７１は、移動端末１の通信部１７が備える通信端点１７１Ａとの間で通信を行う。この第１通信部２７１は、移動端末１の通信端点１７１Ａと同じ構成であるため、説明を省略する。第２通信部２７２は、通信網３との間で通信を行う。この第２通信部２７２は、例えばＩＭＴ−２０００に準拠した無線通信回路である。
【００１７】
図に示したように移動端末１と通信端末２は互いに接続することにより、通信網３およびネットワーク４を介して管理サーバー５との間で文書データを遣り取りするクライアントとして機能する。なお、通信端点１７１Ｃには、有線ＬＡＮ端末である通信端末２Ｃが接続されている。この有線ＬＡＮ端末にはＣＰＵやＲＯＭなどは備えられていないが、通信端末識別情報ＭＩＤとしてＭＡＣ（Media Access Control）アドレスが割り当てられている。
【００１８】
（Ａ−４：管理サーバーの構成）
図４は、管理サーバー５の一例を示すブロック図である。ＣＰＵ５１、ＲＯＭ５２およびＲＡＭ５３は、それぞれ、移動端末１が備えるＣＰＵ１１、ＲＯＭ１２およびＲＡＭ１３と同じ構成である。ＣＰＵ５１は、文書データの送信先、送信元および種別を判別する判別手段、及び、判別された文書の送信先、送信元および種別に対応する通信網の種類を特定する特定手段である。また、ＣＰＵ５１は、記憶部５４に対する書き込みや読み出しを制御する記憶制御手段や、通信部５７による送信を制御する送信制御手段としても機能する。通信部５７は、ネットワーク４との間で通信を行う。この通信部５７は、ネットワーク４を介して複数種類の通信網３のいずれかを経由して、複数のクライアントの各々に対して文書データを順次送信する送信手段である。記憶部５４はハードディスクドライブなどの大容量の記憶手段であり、ＣＰＵ５１に読み込まれるプログラムを記憶する。また、記憶部５４は、端末登録テーブル５４１と優先度テーブル５４２を記憶する。
【００１９】
（Ａ−５：端末登録テーブルの構成）
図５は、端末登録テーブル５４１の一例を示す図である。図に示すように、端末登録テーブル５４１には、ユーザーを識別するためのユーザー識別情報（ユーザー識別記号）と、そのユーザーの役職を示す「部長」、「一般社員」、「課長」および「係長」等のいずれかの文字列およびそのユーザーが所有する通信端末２の通信端末識別情報ＭＩＤとが通信端末識別記号で対応付けて記述されている。
例えば、ユーザー識別情報「Ｕ１」が示すユーザー（以下、ユーザーＵ１という）は「一般社員」であり、ユーザーＵ１には、通信端末識別情報ＭＩＤとして携帯電話機を示す「Ｍ１」、無線ＬＡＮ端末を示す「Ｗ１」および有線ＬＡＮ端末を示す「Ｂ１」が対応付けられている。ユーザーＵ２は「部長」であり、ユーザーＵ２には、携帯電話機を示す「Ｍ２」および有線ＬＡＮ端末を示す「Ｂ２」が対応付けられている。なお、図中の記号「−」は「該当なし」を表している。したがって、ユーザーＵ２に対応付けられた無線ＬＡＮ端末は存在しない。なお、通信端末識別情報ＭＩＤは、携帯電話機の場合には実際には、電話番号「０９０−××××−××××」であり、無線ＬＡＮ端末および有線ＬＡＮ端末の場合には実際には、それぞれのＭＡＣアドレスである。
【００２０】
（Ａ−６：優先度テーブルの構成）
図６は、優先度テーブル５４２の一例を示す図である。図に示すように、優先度テーブル５４２には、送信される文書データの属性として、「送信先の役職」、「送信元の役職」および「種別」が記述されている。ここで「送信先の役職」とは文書データが送られる側のユーザーの役職を示し、「送信元の役職」とは文書データを送る側のユーザーの役職を示している。また、「種別」とは、文書データの目的や用途を示しており、権限のある承認者から承認を得る必要がある文書データの「種別」は「承認」であり、送信先のユーザーとの間で情報を共有するための文書データの「種別」は「情報共有」である。また、送信元のユーザーから送信先のユーザーへ、一方的に情報を提示するための文書データの「種別」は「通達」である。そして、優先度テーブル５４２には、文書データの属性の内容に応じて、優先度が記述されている。この優先度とは、通信端末２として、携帯電話機、無線ＬＡＮ端末および有線ＬＡＮ端末のうちいずれを優先して使用すべきかを定めた数値であり、数値の大きいものほど優先して使用される。例えば、「送信先の役職」が「部長」であれば、優先度は、携帯電話機「２」、無線ＬＡＮ端末「０」、有線ＬＡＮ端末「１」といった具合である。したがって、この場合には、管理サーバー５のＣＰＵ５１は、携帯電話機→有線ＬＡＮ端末→無線ＬＡＮ端末の順で通信端末２を優先して使用する。上述の各通信端末２が特定されると、それぞれ対応する通信網３の種類が特定されるから、すなわち、この優先度テーブル５４２は、文書データの属性と通信網の種類との組み合わせ毎に、複数の通信網の種類の中からいずれかの通信網を特定するための数値を記憶することで、この文書データの属性と、複数の通信網の種類とを対応付けて記憶する記憶手段である。
【００２１】
（Ｂ：動作）
次に、本発明の一実施形態である通信システム９の動作を説明する。
図７は、通信システム９におけるダウンロードの動作の一例を示すシーケンス図である。ここでダウンロードとは、管理サーバー５から移動端末１である移動端末１−１へ向けてメール送信が行われて、添付ファイルとして文書データが送信されることをいう。以下、送信先として「Ｕ３」が、送信元として「Ｕ１」が、種別として「情報共有」が記述された文書データについて図７および図９を用いて説明する。
管理サーバー５のＣＰＵ５１は、これから送信しようとする文書データを検査し、送信先と送信元を示すユーザー識別情報と文書データの種別を示す文字列を特定する（ステップＳ１０１）。また、ＣＰＵ５１は、端末登録テーブル５４１を参照して、文書データが送られる送信先のユーザーの役職と、その文書データを送った送信元のユーザーの役職を特定する。そして、ＣＰＵ５１は、優先度テーブル５４２から文書データの「送信先の役職」、「送信元の役職」および「種別」のそれぞれに対応する各通信端末２の優先度を抽出（ステップＳ１０２）して、合計する。
【００２２】
図９は、この合計結果を示す図である。この文書データの送信先はユーザーＵ３であるから、「送信先の役職」は「一般社員」である。これに対応する各通信端末の優先度は携帯電話機−無線ＬＡＮ端末−有線ＬＡＮ端末の順に「０−１−１」である。そして、この文書データの送信元はユーザーＵ１であるから、「送信元の役職」は「一般社員」である。これに対応する各通信端末の優先度は携帯電話機−無線ＬＡＮ端末−有線ＬＡＮ端末の順に「０−１−１」である。そして、この文書データの「種別」は「情報共有」であるから、対応する各通信端末の優先度は携帯電話機−無線ＬＡＮ端末−有線ＬＡＮ端末の順に「０−１−１」である。ここで、管理サーバー５のＣＰＵ５１が、これらの優先度を合計すると、合計値は、携帯電話機−無線ＬＡＮ端末−有線ＬＡＮ端末の順に「０−３−３」となる。すなわち、無線ＬＡＮ端末の優先度と有線ＬＡＮ端末の優先度は同じ「３」である。この場合には、管理サーバー５のＣＰＵ５１は、無線ＬＡＮ端末２Ｂ−１と有線ＬＡＮ端末２Ｃ−１を同じ優先順位として取り扱う（ステップＳ１０３）。
【００２３】
次に、管理サーバー５は移動端末１−１に向けてメールを受信したことを伝える通知を携帯電話機経由でおこなう（ステップＳ１０４およびＳ１０５）。これに対して、移動端末１−１は通知を受けたことを知らせるとともに管理サーバー５にメール送信をお願いする通知を、移動端末１−１の通信ネットワーク状況とともに送信する（ステップＳ１０６およびＳ１０７）。
移動端末１−１の通信ネットワーク状況とは、移動端末１−１が通信網３のいずれの通信ネットワークを使用できるかということである。今回は、通信端末２である携帯電話機２Ａ−１、無線ＬＡＮ端末２Ｂ−１、有線ＬＡＮ端末２Ｃ−１のいずれもが使用可能として説明する。
そして、ステップＳ１０４からＳ１０７において取得した移動端末１の通信ネットワーク状況と合わせて、最終的な優先順位を決定する（ステップＳ１０７）。無線ＬＡＮ端末２Ｂ−１と有線ＬＡＮ端末２Ｃ−１は、同じ優先度でかつ通信ネットワークが使用可能なため、無線ＬＡＮ端末と有線ＬＡＮ端末の両方に通信経路の確立を要求し（ステップＳ１０８）、早く確立した方の通信経路を用いて通信を行う。この動作例では、有線ＬＡＮ端末２Ｃ−１の方が、無線ＬＡＮ端末２Ｂ−１よりも早く、管理サーバー５に対し、通信経路が確立した旨の通知を行うので（ステップＳ１０９）、管理サーバー５のＣＰＵ５１は、有線ＬＡＮ端末２Ｃ−１との間に確立した通信経路を用いて、文書データを送信する（ステップＳ１１０）。
【００２４】
有線ＬＡＮ端末２Ｃ−１は、この文書データを移動端末１−１に送信する（ステップＳ１１１）。ユーザーＵ３は移動端末１−１の操作部１５を操作して、受け取った文書データを閲覧し、編集作業を行うと、この編集作業に応じて、移動端末１−１のＣＰＵ１１は、文書データを変更する文書編集を行う（ステップＳ１１２）。
【００２５】
以上により、管理サーバー５は、メール受信が行われたことを移動端末１へ携帯電話網を利用して通知することができ、さらに現在の移動端末１の通信ネットワーク情報を取得して、通信ネットワーク情報と文書データの属性に応じた通信網３を介して移動端末１へこの文書データを送信することができる。また、この通信システム９のユーザーは、この文書データの属性と、この送信に用いられる通信端末２との対応関係を、優先度テーブル５４２により設定することにより、文書データの属性に応じた通信網３を自由に設定することができる。
【００２６】
図８は、通信システム９におけるアップロードの動作の一例を示すシーケンス図である。ここでアップロードとは、移動端末１から管理サーバー５へ向けてメール返信が行われて、添付ファイルとして文書データが送信されることをいう。まず、ユーザーＵ１は、自身が所有する移動端末１である移動端末１−２を操作して、文書データを添付ファイルとした返信メールを他のユーザーに送信する指示をする。そして、移動端末１−２のＣＰＵ１１は、通信部１７を介して接続された携帯電話機２Ａ−２、無線ＬＡＮ端末２Ｂ−２同じく無線ＬＡＮ端末２Ｃ−２に対し、通信経路を確立する要求をする（ステップＳ２０１）。移動端末１−２のＣＰＵ１１は、これらの要求に対する応答を各通信端末２から受け付け、最も早く確立した通信経路を通じて通信を行う。このとき携帯電話機２Ａ−２から最も早く応答が帰ってきたとしても、他の帯域の広い通信端末２からの返答を待っても良い。ここでは、無線ＬＡＮ端末２Ｂ−２から最も早く通信経路の確立を示す信号が送られる（ステップＳ２０２）。そして、これを受けた移動端末１−２は、この後、他の通信端末２から送られる通信確立を示す信号を無視するとともに、返信メールを無線ＬＡＮ端末２Ｂ−２に送る（ステップＳ２０３）。無線ＬＡＮ端末２Ｂ−２は、受け取った返信メールを上記の確立した通信経路を通じて管理サーバー５に送る（ステップＳ２０４）。返信メールの送信が終了すると、管理サーバー５は、その旨を示す信号を無線ＬＡＮ端末２Ｂ−２へ送り（ステップＳ２０５）、無線ＬＡＮ端末２Ｂ−２は、この信号を移動端末１−２へ送る（ステップＳ２０６）。これにより、通信システム９における文書データのアップロードが終了する。
【００２７】
（Ｃ：変形例）
上述の実施形態を以下のように変形してもよい。
（変形例１）
上述の実施形態においては、移動端末１と通信端末２は互いに接続することにより、通信網３およびネットワーク４を介して管理サーバー５との間で文書データを遣り取りするクライアントとして機能していたが、移動端末１と通信端末２は予め接続されていてもよいし、移動端末１と通信端末２とが一体に構成されていてもよい。すなわち、管理サーバー５との間で文書データを遣り取りするクライアントは、管理サーバー５の通信部５７によって送信されてくる文書を受信する受信手段と、受信した文書を表示する表示手段とを有していればよい。また、移動端末１に接続される通信端末２の数は３つに限らず、２つでも、４つ以上でもよい。
【００２８】
（変形例２）
移動端末１のＣＰＵ１１、通信端末２のＣＰＵ２１および管理サーバー５のＣＰＵ５１によって実行される各プログラムは、磁気テープや磁気ディスクなどの磁気記録媒体、光ディスクなどの光記録媒体、光磁気記録媒体、半導体メモリーなどの、コンピューター装置が読み取り可能な記録媒体に記憶された状態で提供し得る。また、このプログラムを、インターネットのようなネットワーク経由でダウンロードさせることも可能である。なお、このような制御を行う制御手段としてはＣＰＵ以外にも種々の装置を適用することができ、例えば、専用のプロセッサーなどを用いてもよい。
【００２９】
（変形例３）
上述の実施形態においては、データとして文書データを送信していたが、画像データや特定アプリ向けのバイナリーデータを送信してもよい。すなわち、送信するデータに関しての属性情報が管理サーバー５に保持されることで、送信データの属性に適した通信経路を特定して通信を行うことができればよい。
【符号の説明】
【００３０】
１，１−１，１−２…移動端末、１１…ＣＰＵ、１２…ＲＯＭ、１３…ＲＡＭ、１４…記憶部、１５…操作部、１６…表示部、１７…通信部、１７１Ａ，１７１Ｂ，１７１Ｃ…通信端点、１９…バス、２，２Ａ，２Ｂ，２Ｃ…通信端末、２１…ＣＰＵ、２２…ＲＯＭ、２３…ＲＡＭ、２４…記憶部、２５…操作部、２６…表示部、２７…通信部、２７１…第１通信部、２７２…第２通信部、２９…バス、２Ａ−１，２Ａ−２…携帯電話機、２Ｂ−１，２Ｂ−２…無線ＬＡＮ端末、２Ｃ−１，２Ｃ−２…有線ＬＡＮ端末、３，３Ａ，３Ｂ，３Ｃ…通信網、３０…通信回線、３１…ホームロケーションレジスター、３２…関門移動交換局、３３…移動交換局、３３１−１、３３１−２、３３１−３…基地局、４…ネットワーク、５…管理サーバー、５１…ＣＰＵ、５２…ＲＯＭ、５３…ＲＡＭ、５４…記憶部、５４１…端末登録テーブル、５４２…優先度テーブル、５７…通信部、５９…バス、９…通信システム、ＭＩＤ…通信端末識別情報。
【図１】
2010219611.tif 000003
【図２】
2010219611.tif 000004
【図３】
2010219611.tif 000005
【図４】
2010219611.tif 000006
【図５】
2010219611.tif 000007
【図６】
2010219611.tif 000008
【図７】
2010219611.tif 000009
【図８】
2010219611.tif 000010
【図９】
2010219611.tif 000011